(57)【要約】【目的】文書に複数のプリント設定を持たせ、ユーザ毎に自分のプリント設定を簡単に呼び出してプリント出力することができる画像形成装置の提供。【構成】画像データを入力する画像入力手段と、前記画像入力手段により入力された画像データを順次記憶する画像記憶手段と、前記複数の画像データに対し設定されているプリント設定を画像とリンクし文書として記憶する文書記憶手段と、前記画像記憶手段に記憶された画像データを読み出し、前記文書記憶手段に記憶されたプリント設定に応じて順次プリント出力する画像出力手段と、前記文書のプリント設定を付加及び上書きするプリントモード設定手段と、前記１文書に対して複数のプリント設定を保持しておくプリントモード保存手段と、前記文書のプリント出力時に前記複数のプリント設定からプリント設定を選択するプリント設定選択手段を含んで画像形成装置を構成する。【選択図】      図１
2004243588.tif 000002
【特許請求の範囲】
【請求項１】
画像データを入力する画像入力手段と、前記画像入力手段により入力された画像データを順次記憶する画像記憶手段と、前記複数の画像データに対し設定されているプリント設定を画像とリンクし文書として記憶する文書記憶手段と、前記画像記憶手段に記憶された画像データを読み出し、前記文書記憶手段に記憶されたプリント設定に応じて順次プリント出力する画像出力手段と、前記文書のプリント設定を付加及び上書きするプリントモード設定手段と、前記１文書に対して複数のプリント設定を保持しておくプリントモード保存手段と、前記文書のプリント出力時に前記複数のプリント設定からプリント設定を選択するプリント設定選択手段を有することを特徴とする画像形成装置。
【請求項２】
前記プリントモード保存手段は、保存しておくプリント設定データの個数を可変にでき、前記プリント設定データの個数を自由に設定できることを特徴とする請求項１記載の画像形成装置。
【請求項３】
前記プリントモード設定手段は、既に登録されているプリント設定を削除することができることを特徴とする請求項１記載の画像形成装置。
【請求項４】
前記プリントモード設定手段は、プリント設定名称を設定できることを特徴とする請求項１記載の画像形成装置。
【請求項５】
前記プリントモード設定機能は、既に登録されているプリント設定を基本プリント設定で初期化できることを特徴とする請求項１記載の画像形成装置。
【請求項６】
前記プリント設定複数保持していることを示す表示手段を有することを特徴とする請求項１記載の画像形成装置。
【発明の詳細な説明】
【０００１】
【発明の属する技術分野】
本発明は、画像メモリを備えたデジタル複写機等の画像形成装置に関するものである。
【０００２】
【従来の技術】
従来、スキャナから読み取った画像データや、ホストコンピュータからネットワークを介して送られてきたＰＤＬデータをビットマップに展開した画像データを複写機内のハードディスク等のメモリに一旦記憶し、そのメモリから任意の原稿の画像データを繰り返し読み出してプリントアウトする機能を備えたデジタル複写機が知られている。
【０００３】
これらのデジタル複写機には、ステイプル、パンチ穴開け、折り、製本綴じ等のフィニッシング機能を搭載したフィニッシャを接続することができ、それらフィニッシングの設定や両面等の画像の割り付け等を画像の保存と同時に文書属性としてメモリに保存しておき、画像の入力とは非同期にこれら文書情報に基づきプリント出力するボックス機能を有するものもある。
【０００４】
加えて、上記ボックス文書の文書属性を変更し再度上書き保存するプリント設定登録機能を有するデジタル複写機もある。この機能により、何度もプリントするような文書をボックスへ入れた場合において、ボックス文書のプリント設定が間違っていたり、気に入らない設定だったりした場合でも、再度ボックスへ入力し直す必要がなく、プリント出力時に毎回設定変更し直す必要もなくなる。
【０００５】
又、頻繁にプリントする設定モードを複数登録しておき、設定モードを簡単な操作で呼び出すことができるモードメモリ機能もある。
【０００６】
【発明が解決しようとする課題】
しかしながら、プリント設定登録を行うと、文書属性を書き換えてしまうため、元の設定に戻したい場合には再度プリント設定登録を行わなければならないという問題があった。
【０００７】
又、複数人が同一ボックス文書をプリントしたい場合等は、１つの設定でしか登録することができないため、毎回プリント設定変更を行うか、毎回プリント設定登録を行うしかないという問題があった。
【０００８】
更に、モードメモリにおいても、登録できる個数が限られているため、文書毎に合わせて細かく設定しておくことができないという問題があった。
【０００９】
本発明は上記従来の問題に鑑みてなされたものであり、その目的とする処は、文書に複数のプリント設定を持たせ、ユーザ毎に自分のプリント設定を簡単に呼び出してプリント出力することができる画像形成装置を提供することにある。
【００１０】
【課題を解決するための手段】
上記目的を達成するため、本発明は、画像データを入力する画像入力手段と、前記画像入力手段により入力された画像データを順次記憶する画像記憶手段と、前記複数の画像データに対し設定されているプリント設定を画像とリンクし文書として記憶する文書記憶手段と、前記画像記憶手段に記憶された画像データを読み出し、前記文書記憶手段に記憶されたプリント設定に応じて順次プリント出力する画像出力手段と、前記文書のプリント設定を付加及び上書きするプリントモード設定手段と、前記１文書に対して複数のプリント設定を保持しておくプリントモード保存手段と、前記文書のプリント出力時に前記複数のプリント設定からプリント設定を選択するプリント設定選択手段を含んで画像形成装置を構成したことを特徴とする。
【００１１】
【発明の実施の形態】
以下に本発明の実施の形態を添付図面に基づいて説明する。
【００１２】
図１は本実施の形態に係る画像形成装置の構成を示すブロック図である。
【００１３】
図１において、１０１はデジタル複写機本体であり、操作部１０２、リーダ部１０３、プリンタ部１０４から構成される。操作部１０２はデジタル複写機本体１０１及び画像入出力制御部１０５を操作するために使用する。リーダ部１０３は原稿の画像を読み取り、原稿画像に応じた画像データをプリンタ部１０４及び画像入出力制御部１０５へ出力する。プリンタ部１０４はリーダ部１０３及び画像入出力制御部１０５からの画像データに応じた画像を記録紙上に記録する。画像入出力制御部１０５はリーダ部１０３に接続されており、コンピュータインタフェース部１０６、画像メモリ１０７、制御部１０８、バックアップＲＡＭ１１０から構成される。
【００１４】
コンピュータインターフェイス部１０６は、パーソナルコンピュータ又はワークステーション（ＰＣ／ＷＳ）によって構成されるプリントサーバ１０９と制御部１０８の間のインターフェイスであり、ＰＣ／ＷＳ１０９から転送された画像を表すコードデータ（ＰＤＬ）をプリンタ部１０４で記録できる画像データに展開して制御部１０８に渡す。
【００１５】
制御部１０８については後述するが、制御部１０８はリーダ部１０３、コンピュータインターフェイス部１０６、画像メモリ１０７のそれぞれの間のデータの流れを制御するものである。
【００１６】
バックアップＲＡＭ１１０は、電源を落としても消去されないメモリであり、デジタル複写機１０１及び画像入出力制御部１０５においてバックアップしておかなければならないデータを保存しておくものである。
【００１７】
図２は本実施の形態におけるフィニッシャが装着された複写機の断面図である。
【００１８】
原稿給送装置２０１は原稿を先頭順に１枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そして、スキャナユニット２０４の移動を開始させて、原稿を露光走査する。この時の原稿からの反射光は、ミラー２０５，２０６，２０７及びレンズ２０８によってＣＣＤイメージセンサ（以下、ＣＣＤと言う）２０９へ導かれる。このように、走査された原稿の画像はＣＣＤ２０９によって読み取られる。
【００１９】
レーザドライバ２２１はレーザ発光部２１０を駆動するものであり、出力画像データに応じたレーザ光をレーザ発光部２１０に発光させる。このレーザ光は感光ドラム２１１に照射され、感光ドラム２１１にはレーザ光に応じた潜像が形成される。この感光ドラム２１１の潜像の部分には現像器２１２によって現像剤が付着される。カラー機の場合は、イエロー、マゼンタ、シアン、ブラックの４色分現像器が装着される。そして、レーザ光の照射開始と同期したタイミングで、カセット２１３及びカセット２１４、手差し給紙段２２７の何れかから記録紙を給紙して転写部２１５へ搬送し、感光ドラム２１１に付着された現像剤を記録紙に転写する。
【００２０】
現像剤の乗った記録紙は定着部２１６に搬送され、定着部２１６の熱と圧力により現像剤は記像紙に定着される。定着部２１６を通過した記録紙は排出ローラ２１７によって排出され、又、両面記録が設定されている場合は、排出ローラ２１７の所まで記録紙を搬送した後、排出ローラ２１７の回転方向を逆転させ、フラッパ２１８によって再給紙搬送路２１９へ導く。再給紙搬送路２１９へ導かれた記録紙は上述したタイミングで転写部２１５へ給紙される。
【００２１】
Ｚ折りユニット２２６が本体に装備されている場合には、Ｚ折りユニットへ記録紙が搬送され、操作部からの操作に応じてＺ折りが行われる。フィニッシャ２２０が装備されている場合、排出された記録紙を束ねて記録紙の仕分けをしたり、ユーザからの指定に応じてパンチャ２２３で記録紙のパンチが、ステイプラ２２４でステイプルがそれぞれ行われる。
【００２２】
又、サドルスティッチャー２２５を使用すると、記録紙の中央部をステッチし、その中央部を折ることにより記録紙が製本される。インサータ２２２では、予め印刷された記録紙を表紙や合紙として給紙することが可能となり、プリンタ部の記録紙経路を通すことがないため用紙を傷めず搬送することができる。サドステッチャー２２５を使用しないジョブは、排紙口２３１を通り、可動トレイ２２８，２２９のどちらかに排出される。可動トレイ２２８，２２９は両方共上下に動作することができ、可動トレイ２２８に出力する場合には可動トレイ２２８が排紙口２３１の位置まで降りる。サドルステッチャー２２５を使用するジョブは、排紙口２３２を通り、製本トレイ２３０に排出される。
【００２３】
図３は本実施の形態におけるデジタル複写機の操作部１０２のキー配列を示す。
【００２４】
３０１は電源スイッチであり、本体への通電を制御する。３０２は予熱キーであり、予熱モードのＯＮ／ＯＦＦに使用する。３０３はコピーＡモードキーであり、複数の機能の中からコピーＡモードを選択するときに使用する。３０４はコピーＢモードキーであり、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かり易くするために２つのコピーに分けている。３０５はメールボックスキーであり、複数の機能の中からメールボックスモードを選択するときに使用する。
【００２５】
メールボックス機能とは、ユーザ個人や部署毎に複写機内のメモリに記憶領域を持ち、そこにＰＤＬやスキャン画像を入れておき、好きなときに出力する機能である。３０６は拡張キーであり、ＰＤＬに対する操作を行うときに使用する。３０３〜３０６は後述するＬＣＤ３１６の各々の機能画面を呼び出すときにも使用され、ＬＣＤ３１６の表示により各々のジョブの状況を見ることができる。３０７はコピースタートキーであり、コピーの開始を指示するときに用いるキーである。３０８はストップキーであり、コピーを中断したり、中止したりするときに用いるキーである。３０９はリセットキーで、スタンバイ中は標準モードに復帰させるキーとして動作する。
【００２６】
３１０はガイドキーであり、各機能を知りたいときに使用するキーである。３１１はユーザーモードキーであり、ユーザーがシステムの基本設定を変更するときに使用する。３１２は割り込みキーであり、コピー中に割り込みしてコピーしたいときに用いる。３１３はテンキーであり、数値の入力を行うときに使用する。３１４はクリアキーであり、数値をクリアするときに用いる。３１５はＩＤキーであり、複写機を使用する場合にＩＤの入力モードに移行するときに使用する。
【００２７】
３１６は液晶画面とタッチセンサの組合せから成るＬＣＤタッチパネルであり、各モード毎に個別の設定画面が表示され、更に、描画されたキーに触れることで、各種の詳細な設定を行うことが可能である。又、各々のジョブの動作状況表示等も行う。３１７はネットワークの通信状態を示すタリーランプであり、通常緑色で通信しているときは緑色で点滅し、ネットワークエラーの場合には赤色になる。
【００２８】
図４は本実施の形態における操作パネル３１６のコピー標準画面を示した図である。
【００２９】
本実施の形態の画像処理装置は、電源投入時にデフォルトとしてコピー標準画面で起動するようになっている。４０１はメッセージラインであり、コピージョブの状態をメッセージで表示する。４０２は倍率表示であり、設定された倍率やコピーモードによって自動的に決められる倍率をパーセントで表示する。４０３は用紙サイズ表示であり、選択された出力用紙を表示し、自動用紙選択が設定されている場合にはオート用紙というメッセージを表示する。４０４は置数表示であり、何枚コピーするかを示す。
【００３０】
４０５は縮小キーであり、縮小コピーを行いたい場合に使用する。４０６は等倍キーであり、縮小や拡大が設定されている場合に等倍に戻したいときに使用する。４０７は拡大キーであり、拡大コピーを行いたい場合に使用する。４０８はズームキーであり、細かい単位で倍率をｈ設定して縮小コピーや拡大コピーを行いたい場合に使用する。４０９は用紙選択キーであり、出力用紙を指定する場合に使用する。４１０はソータキーであり、ソートやステイプルのモードを設定する場合に使用する。
【００３１】
４１１は両面キーであり、両面モードを設定する場合に使用する。４１２は濃度表示で、現在の濃度が分かるようになっており、左側が濃度が薄く、右側が濃度が濃いことを示す。又、濃度表示４１２は、うすくキー４１３、こくキー４１５と連動して表示が変化するようになっている。４１３はうすくキーであり、濃度を薄くしたい場合に使用する。４１４は自動キーであり、自動的に濃度を決定するモードを使用する場合に使用する。４１５はこくキーであり、濃度を濃くしたい場合に使用する。４１６は文字キーであり、文字原稿をコピーするのに適した濃度に自動的に設定する文字モードを設定する場合に使用する。
【００３２】
４１７は、文字／写真キーであり、写真が混在した原稿をコピーするのに適した濃度に自動的に設定する文字／写真モードを設定する場合に使用する。４１８は応用モードキーであり、コピー標準画面で設定できない様々なコピーモードを設定する場合に使用する。４１９はプリント状況キーであり、現在この画像形成装置１０１で行われているプリントの状況を見たい場合に使用する。プリント状況キー４１９は、コピー標準画面だけではなく、常にこの位置に現れており、いつでもこのキーを押すことによりプリント状況を見ることができるようになっている。
【００３３】
図５は本実施の形態における画像メモリ１０７の論理的な使用方法を示した図である。
【００３４】
本実施の形態においては、使用用途に応じてハードディスク等の画像メモリの記憶領域をテンポラリ領域５０１とボックス領域５０２に論理的に分ける。テンポラリ領域５０１は、画像データの出力順序を変えたり、複数部出力においても１回のスキャンで出力ができるようにするために、ＰＤＬの展開データやスキャナからの画像データを一時的に記憶する記憶領域である。ボックス全体領域５０２はボックス機能を使用するための記憶領域であり、５０３〜５０７のように登録された数の小さな記憶領域に分割されている。
【００３５】
ボックス５０３〜５０７は、各ユーザや会社等の部署毎に割り当てられ、各ボックスにはボックス名とパスワードを付けることができる。ユーザはボックスを指定することでＰＤＬジョブやスキャンジョブを各ボックス入力することができ、パスワードを入力することで実際にボックスの中を見たり、設定変更やプリント出力を行う。
【００３６】
図６は本実施の形態におけるボックス登録の手順を示すフローチャートである。
【００３７】
ボックスへの登録は、ホストコンピュータ１０９からのＰＤＬ画像と、スキャナからのスキャン画像の登録があり、それぞれ図６（ａ），（ｂ）のフローとなる。尚、図中のＳ６０１〜Ｓ６０８は各ステップを示す。
【００３８】
ＰＤＬ画像を登録する場合、Ｓ６０１では、１０９上でユーザがプリント設定を行いＳ６０２に進む。プリント設定内容は、部数、用紙サイズ、拡大縮小率、片面／両面、ページ出力順序、ソート出力、ステイプル止めの有無等である。
【００３９】
Ｓ６０２では、ＰＣ１０９上でボックス番号を設定することで、画像メモリ１０７のボックス領域６０２内の領域が指定され、Ｓ６０３に進む。例えば、ボックス番号が１と指定されると、ボックス全体領域５０２内のボックス領域５０３が指定されることなる。
【００４０】
Ｓ６０３では、ＰＣ１０９上で印刷指示を与え、それと共にＰＣ１０９上にインストールされているドライバソフトウェアが印刷対象となるコードデータを所謂ＰＤＬデータに変換して、Ｓ６０１で設定したプリント設定パラメータと共に本画像入出力装置の制御装置１１０にＰＤＬデータを転送し、Ｓ６０４に進む。
【００４１】
Ｓ６０４では、転送されたＰＤＬデータを画像データに展開（ラスタライズ）する。画像データの展開が完了するとＳ６０５に進む。
【００４２】
Ｓ６０５では、展開された画像データが画像メモリ１０６のボックス全体領域５０２に順次記録され、例えばボックス番号が１のときは、ボックス領域５０３内に記憶される。Ｓ６０１で設定したプリント設定パラメータも領域５０３に記録される。ボックス番号が２，３のときはそれぞれ領域５０４、領域５０５に記憶される。
【００４３】
スキャン画像を登録する場合は、先ずＳ６０６で画像を入力するボックス番号を指定し、Ｓ６０７に進む。
【００４４】
Ｓ６０７では、画像処理等のスキャン設定を指定し、Ｓ６０８に進む。
【００４５】
Ｓ６０８では、スキャンスタートの指示を出すことで、リーダ部１０３で原稿を読み取りＳ６０９に進む。
【００４６】
Ｓ６０９では、Ｓ６０８で読み取った画像をＳ６０６で指定したボックス領域に格納する。
【００４７】
図７は本実施の形態における操作パネルのボックスキー３０５を押下した場合のＬＣＤ３１６の表示である。この画面はボックスを選択する画面であり、７０１はそのボックス番号、ボックス名、画像メモリ１０７のボックス全体領域５０２に対してそのボックスがどれだけ容量を取っているかの情報を表示する。ボックス番号を押下すると、図８に示すパスワード入力画面に遷移する。７０２と７０３はそれぞれ上下スクロールキーであり、７０１の表示を越える数のボックスが登録されているときに、画面をスクロールする場合に使用する。
【００４８】
図８は本実施の形態における操作パネルのボックスパスワード入力画面である。この画面から各ボックスに設定されているパスワードを入力することで図９に示すボックス内画面に遷移し、各ボックスにアクセスできるようになる。パスワードが違う場合には、図示していない警告画面に遷移し、ボックスにはアクセスできない。８０１は取消キーであり、図７の画面に戻る。８０２はＯＫキーであり、このキーを押下することで入力したパスワードの確定となり、パスワードの検証が行われる。
【００４９】
図９は本実施の形態における操作パネルのボックス内画面である。
【００５０】
９０１はボックス内のファイルリストであり、各ファイルの登録日時、ファイル名がリスト表示される。ファイルを選択するにはファイル名を押下し、現在選択されているファイルは反転表示される。これはトグル動作になっており、一度選択したファイル名をもう一度押下すると、選択が解除される。９０２はファイル名１が選択されていることを示している。９０３はスキャンキーであり、現在開いているボックスにスキャナから画像を入力する場合に使用し、図示していないスキャンの設定画面に遷移する。
【００５１】
９０４はプリントキーであり、９０１で選択しているファイルをプリントする場合に使用する。９０４を押下すると、９０１で選択されたファイルにデフォルト設定以外にプリント設定が登録されている場合に図１０に示す画面に遷移し、登録されていない場合は図１１に示す画面に遷移する。９０５は移動キーであり、このボックス内のファイルを他のボックスに移動する場合に使用する。９０６は消去キーであり、９０１で選択しているファイルを消去する場合に使用する。９０７は全選択キーであり、９０１に表示されているファイルを全部選択する場合に使用する。このキーにより全選択した場合には、選択順序は９０１の表示順となる。９０８と９０９はそれぞれ上下スクロールキーであり、９０１の表示を超える数のファイルが登録されているときに、画面をスクロールする場合に使用する。９１０は閉じるキーであり、図８の画面に戻るときに使用する。
【００５２】
図１０は本実施の形態における操作パネルのプリント設定選択画面を示した図である。この画面はデフォルト設定以外にプリント設定がされていた場合に表示される。１００１はプリント設定リストであり、リストの一番上にはデフォルト設定が表示される。このリスト上のプリント設定名称に触れることで１００２のように選択され、表示が反転する。本実施の形態の仕様では、このリストのうちどれか１つの設定しか選択することはできない。
【００５３】
１００３は選択キーであり、１００２で選択したプリント設定を確定し、この画面を抜けるときに使用する。１００３を押下すると、図１１のプリント設定変更画面に遷移する。１００４は消去キーであり、１００２で選択したプリント設定をリストから削除する場合に使用する。１００５は名称変更キーであり、１００２で選択したプリント設定の名称を変更する場合に使用する。このキーを押下すると、図示していないソフトキーボード画面に遷移し、ユーザが自由に名称を設定できる。１００６と１００７はスクロールキーであり、保存してあるプリント設定数が１画面に表示できるプリント設定数より多い場合に上下にリストをスクロールさせるために使用する。１００８は取消キーであり、図９の画面に戻るときに使用する。
【００５４】
図１１は本実施の形態における操作パネルのプリント設定変更画面を示した図である。この画面を表示した時点で、図１０で選択した場合は選択したプリント設定の属性を読み出し、この画面に反映させる。プリント設定がされていない場合は、ファイル登録時のデフォルトプリント設定の属性を読み出し、この画面に反映させる。図示していないが、この画面にあるキーを押下して遷移する画面では、全てこの画面への遷移時に読み出したプリント設定で設定されているプリントモードが分かるよう、キーが反転して表示される。１１０１は現状設定されている部数を表示している。
【００５５】
１１０２は先頭ページの用紙サイズ、選択給紙段情報を示しており、「自動用紙」と表示されているのは用紙サイズによって自動で給紙段を選択することを示している。１１０３は試しプリントキーであり、現状の設定で１  部試しプリントを行う。１１０４は用紙選択キーであり、明示的に１つの用紙サイズでプリントするために給紙段を選択する場合に使用する。１１０５はソータキーであり、ステイプル等のフィニッシングを設定する場合に使用する。１１０６は両面キーであり、両面モードを設定する場合に使用する。１１０７は表紙／仕切紙キーであり、表紙、合紙、仕切紙、裏表紙等を挿入する場合に使用する。１１０８は製本キーであり、出力結果を半分に折ると本になるよう面順を変える場合に使用する。
【００５６】
１１０９は元の設定に戻すキーであり、この画面で設定したプリント設定をクリアし、図１０で選択したプリント設定に戻す場合に使用する。プリント設定が登録されていない場合には、ファイル登録時の設定（デフォルト設定）に戻す。１１１０はキャンセルキーであり、この画面で設定したプリント設定をクリアし、過去にプリントしたときの設定に戻して図１０の画面に戻る場合に使用する。１１１１はプリント設定登録キーであり、この画面で変更したプリント設定を登録する場合に使用する。図１０でプリント設定を選択した場合には、選択したプリント設定に上書きすることもでき、新規に登録し直すこともできる。１つもプリント設定が登録されていなかった場合は、新規に登録される。１１１２はプリント開始キーであり、現設定でプリントする場合に使用する。
【００５７】
図１２は本実施の形態における操作パネルのプリント設定登録数設定画面を示した図である。この画面には図３に示しているユーザモードキー３１１から入ることができる。この画面では、１ファイルに登録できるプリント設定登録数の上限値を設定することができる。１２０１は現在設定されているプリント設定登録数の上限値である。本実施の形態では、設定できるプリント設定登録数を０〜２０としているが、当然もっと範囲を広げても構わない。設定数０の場合には、ファイル登録時のプリント設定以外を登録することはできなくなる。
【００５８】
従って、設定数０の場合、図１１の１１１１が網掛け表示となり、押下できなくなる。１２０２と１２０３は上下キーであり、１２０１の設定数を増減する場合に使用する。１２０４は取消キーであり、プリント設定登録数を反映せずにこの画面から抜ける場合に使用する。１２０５はＯＫキーであり、プリント設定登録数を反映してこの画面から抜ける場合に使用する。
【００５９】
図１３は本実施の形態におけるプリント設定登録の仕組み及び文書構造を示した図である。
【００６０】
ボックス内ファイルの画像自体は画像メモリ（ハードディスク）１１０に格納されているが、ボックス情報、ボックスファイル画像の構成を管理する文書情報、画像のページ情報等はバックアップＲＡＭ１１０に格納されている。このバックアップデータは、ボックスと対応するボックス管理テーブル、文書情報と対応する文書管理テーブル、ページと対応するページ管理テーブル、プリント設定情報を格納するプリント設定テーブルから成る。操作パネル３１６に表示するボックスの情報はボックス管理テーブルに格納されている。
【００６１】
ボックス管理テーブルはボックス数分あり、１つのボックス管理テーブルで１つのボックスを管理する。ボックス管理テーブルには、ボックス名称、ボックスパスワード、ボックス内ファイル数等が格納されている。文書管理テーブルには、ファイル名称、作成日時、ページ数等が格納されている。ページ管理テーブルには、画像サイズ、用紙サイズ、画素数、解像度等が格納されている。プリント設定テーブルには、図１１で設定されたり、ファイル格納時に設定されたりしたフィニッシング設定、両面、画像の形式等のプリント情報が格納されている。
【００６２】
次に、ボックス内ファイルの構造を説明する。
【００６３】
ボックス内ファイルは、１ファイルを１文書管理テーブルで管理され、ボックス内に複数文書ある場合は、ボックス管理テーブルに文書管理テーブルが複数リンクされる。図１３では、ボックス管理テーブルにＮ個の文書管理テーブルがリンクされており、このボックス内にはＮファイルが存在することになる。文書管理テーブルには、ページ数分のページ管理テーブルがページ順にリンクされており、各ページ管理テーブル１〜Ｎには、画像メモリ１１０に格納されている画像１〜Ｎがリンクされている。
【００６４】
１つのプリント設定テーブルは、図１０の１プリント設定に対応しており、各文書管理テーブルにリンクされている最初のプリント設定テーブルがデフォルト設定に対応している。実際のファイルのプリントは、図１０でプリント設定を選択することにより、どのプリント設定テーブルの設定でプリントするかが決定される。
【００６５】
図１４は本実施の形態におけるプリント設定登録の手順を示すフローチャートである。尚、図中のＳ１４０１〜Ｓ１４１３は各ステップを示す。
【００６６】
Ｓ１４０１では、図９でファイルを選択し、プリントキー９０４が押下され、Ｓ１４０２に進む。
【００６７】
Ｓ１４０２では、Ｓ１４０１で選択されたファイルにプリント設定が登録されているかどうかを判断し、プリント設定があった場合はＳ１４０３に、プリント設定が登録されておらずデフォルト設定のみであればＳ１４０５に進む。
【００６８】
Ｓ１４０３では、プリント設定の名称を読み出し、図１０のプリント設定リスト表示を行い、Ｓ１４０４に進む。
【００６９】
Ｓ１４０４では、ユーザがＳ１４０３で表示したプリント設定リストから１つのプリント設定を選択し、Ｓ１４０５に進む。
【００７０】
Ｓ１４０５では、Ｓ１４０４でユーザが選択したプリント設定若しくはＳ１４０２でプリント設定が無しだった場合にはデフォルト設定を読み出して図１１の画面を表示してＳ１４０６に進む。
【００７１】
Ｓ１４０６では、図１１の画面にてユーザがプリント設定を変更したければ変更することができ、Ｓ１４０７に進む。
【００７２】
Ｓ１４０７では、ユーザが図１１の画面でプリント開始キー１１１２を押下したならばＳ１４１３に進み、そうでなければＳ１４０８に進む。
【００７３】
Ｓ１４０８では、ユーザが図１１の画面でプリント設定登録キー１１１１を押下したならばＳ１４０９に進み、そうでなければＳ１４０７に進む。
【００７４】
Ｓ１４０９では、図示していないプリント設定登録の登録確認画面でユーザが新規プリント設定として登録することを選択するか、若しくはＳ１４０２でプリント設定が無しだった場合にはＳ１４１０に進み、そうでなければＳ１４１２に進む。
【００７５】
Ｓ１４１０では、プリント設定数が図１２で設定した上限数に達しているかどうかを判断し、達していない場合はＳ１４１１に進み、達していた場合にはその旨をアラームとして表示し、プリント設定登録を抜ける。
【００７６】
Ｓ１４１１では、新規プリント設定テーブルを文書管理テーブルにリンクし、Ｓ１４０６で設定したプリント設定をプリント設定テーブルに書き込み、終了する。
【００７７】
Ｓ１４１２では、Ｓ１４０４で選択したプリント設定に対応したプリント設定テーブルにＳ１４０６で設定したプリント設定を上書きし終了する。勿論、ユーザに上書きするプリント設定を選択させ、違うプリント設定テーブル上書きするような仕様にしても良い。
【００７８】
Ｓ１４１３では、Ｓ１４０６で設定されたプリント設定に基づいてプリント出力を行い、終了する。
【００７９】
【発明の効果】
以上の説明で明らかなように、本発明によれば、ハードディスク等の画像メモリに格納したスキャナやＰＤＬからの画像に対して複数のプリント設定を登録できるようにすることにより、同じ画像に対してユーザ毎の設定でいつでも手軽にプリント出力することができるという効果が得られる。
【図面の簡単な説明】
【図１】本発明に係る画像形成装置の構成を示すブロック図である。
【図２】本発明の実施の形態におけるフィニッシャが装着された複写機の断面図である。
【図３】本発明の実施の形態におけるデジタル複写機の操作部のキー配列を示す図である。
【図４】本発明の実施の形態における操作パネルのコピー標準画面を示す図である。
【図５】本発明の実施の形態における画像メモリの論理的な使用方法を示す図である。
【図６】本発明の実施の形態におけるボックス登録の手順を示すフローチャートである。
【図７】本発明の実施の形態における操作パネルの画面を示す図である。
【図８】本発明の実施の形態における操作パネルのボックスパスワード入力画面を示す図である。
【図９】本発明の実施の形態における操作パネルのボックス内画面を示す図である。
【図１０】本発明の実施の形態における操作パネルのプリント設定選択画面を示す図である。
【図１１】本発明の実施の形態における操作パネルのプリント設定変更画面を示す図である。
【図１２】本発明の実施の形態における操作パネルのプリント設定登録数設定画面を示す図である。
【図１３】本発明の実施の形態におけるプリント設定登録の仕組み及び文書構造を示す図である。
【図１４】本発明の実施の形態におけるプリント設定登録の手順を示すフローチャートである。
【符号の説明】
１０１  デジタル複写機本体
１０２  操作部
１０３  リーダ部
１０４  プリンタ部
１０５  画像入出力制御部
１０６  コンピュータインタフェース部
１０７  画像メモリ
１０８  制御部
１０９  プリントサーバ
１１０  バックアップＲＡＭ
【図１】
2004243588.tif 000003
【図２】
2004243588.tif 000004
【図３】
2004243588.tif 000005
【図４】
2004243588.tif 000006
【図５】
2004243588.tif 000007
【図６】
2004243588.tif 000008
【図７】
2004243588.tif 000009
【図８】
2004243588.tif 000010
【図９】
2004243588.tif 000011
【図１０】
2004243588.tif 000012
【図１１】
2004243588.tif 000013
【図１２】
2004243588.tif 000014
【図１３】
2004243588.tif 000015
【図１４】
2004243588.tif 000016